(57)【要約】【課題】居住者の求める快適な環境を得るために、エネルギー消費も考慮した総合的な最適な機器等の操作方法を示す。空調機や窓やブラインドなどを組み合わせて調整する。【解決手段】環境監視装置２２は、建物各部の環境に影響を及ぼす環境データ３０を取得する。温度や湿度や光量等の情報が環境モニタ画面３６に表示される。建物各部に配置された機器２６は機器制御装置２８により制御される。各機器の状態を示す状態情報３８やあらかじめ設定された指定値４６が記憶装置３４に記憶されている。エネルギ監視装置２４は、蓄積されたエネルギと消費されたエネルギをエネルギモニタ画面４８に表示する。センター制御装置１６は、該当する居室の環境を居住者の求める指定値に近づけるために最適な機器２６の調整方法を選択して、メッセージを出力する。例えば、「エアコンを止めて西側と東側の窓を半分ほど空けてください」と表示する。【選択図】図２
2015102321.tif 000002
【特許請求の範囲】
【請求項１】
建物各部の環境に影響を及ぼす環境データを取得するための検出装置を接続し、取得した環境データを記憶装置に記憶して、この記憶装置に記憶された環境データの中から、上記建物の内外の環境を表すいずれかの環境データを選択して、環境モニタ画面を用いて表示する制御を実行する環境監視装置と、
建物各部に配置された機器の動作を制御し、その現在の制御状態を示す状態情報を記憶装置に記憶させて、機器制御画面にその機器の状態情報を表示する機器制御装置と、
上記各機器の状態情報を上記記憶装置から読み取って、いずれかの機器により蓄積されたエネルギといずれかの機器により消費されたエネルギを表す情報を生成して上記記憶装置に記憶させるとともに、そのエネルギを表す情報をエネルギモニタ画面を用いて表示するエネルギ監視装置と、
上記環境監視装置と機器制御装置とエネルギ監視装置とセンター制御装置とを備え、
上記センター制御装置は、
建物の居室に対して予め設定された環境を示す指定値を記憶装置に記憶させておき、上記建物の居室の環境データと機器の状態情報とを上記記憶装置から読み取って、上記建物の居室の現在の環境データが上記指定値を中心にして一定範囲外にあるとき、上記居室の環境データを上記指定値に近づけるために調整するべき機器の状態情報を選択し、その結果を示すメッセージを出力することを特徴とする建物内部の環境管理システム。
【請求項２】
上記センター制御装置は、
上記居室の環境データを上記指定値に近づけるために調整するべき複数の機器の状態情報について、複数通りの組み合わせがあれば、そのうちのエネルギ消費量が最小に近い組をディスプレイに表示することを特徴とする建物内部の環境管理システム。
【請求項３】
上記センター制御装置は、
いずれかの建物の居室の現在の環境データが上記指定値を中心にして一定範囲内にあるときであっても、上記居室の環境データを上記一定範囲内に保持するために設定するべき機器の状態情報を選択して、その状態情報が現在の機器の状態情報と一致しないときであって、選択した状態がエネルギ消費量のより小さい状態のときは、選択した結果を示すメッセージを出力することを特徴とする請求項１または２に記載の建物内部の環境管理システム。
【請求項４】
上記機器に発音装置が取り付けられており上記指定値に近づけるために調整するべき機器の発音装置から上記メッセージが出力されることを特徴とする請求項１乃至３のいずれかに記載の建物内部の環境管理システム。
【請求項５】
特定の居住者により特定の居室の環境について指定値が指定されているとき、上記記憶装置には、居住者毎の指定値が記憶されており、
上記センター制御装置は、操作する居住者を入力情報により識別して、該当する指定値を使用して上記メッセージを選択することを特徴とする請求項１乃至４のいずれかに記載の建物内部の環境管理システム。
【請求項６】
上記機器制御装置は、
自動制御要求が入力されたとき、選択をした結果に従って、該当する機器を自動的に該当する状態に調整することを特徴とする請求項１乃至５のいずれかに記載の建物内部の環境管理システム。
【請求項７】
コンピュータを、請求項１乃至６のいずれかに記載の建物内部の環境管理システムとして機能させるコンピュータプログラム。
【請求項８】
請求項７に記載のコンピュータプログラムを記録したコンピュータで読み取り可能な記録媒体。
【発明の詳細な説明】
【技術分野】
【０００１】
本発明は、建物内部の各部における環境を自動的に総合的に判断して最適化することができる建物内部の環境管理システムに関する。
【背景技術】
【０００２】
太陽光発電設備を備えた建物で、エネルギの蓄積や利用の状況を分かりやすく表示するためのシステムが開発されている（特許文献１）。また、省エネルギ等を目的として、建物内部の各種電力機器の運転状態を最適化したり、これらを遠隔監視して制御するシステムも開発されている（特許文献２）。
【先行技術文献】
【特許文献】
【０００３】
【特許文献１】特開２０１２−２４８０４０号公報
【特許文献２】特開２０１３−１９２０１６号公報
【発明の概要】
【発明が解決しようとする課題】
【０００４】
既知の従来の技術には、次のような解決すべき課題があった。
例えば、既知の空調機は、温度センサを内蔵しており、居住者が設定したとおりの温湿度環境を整えることが可能である。さらに、空調機には省エネルギモードでの運転機能も備わっている。しかしながら、省エネルギ等を考慮した場合に、空調機による温湿度制御のみに頼るのが適切でない場合がある。例えば、通風を良くして室温を下げた方が良い場合がある。また、採光量を調整したほうが良い場合もある。即ち、居住者が求める環境を作るための、居住者による空調機の設定や操作が、必ずしも最適とは限らない。さらに、居住者が無駄なエネルギーを消費している状態に気付かない場合もある。
本発明は上記の点に着目してなされたもので下記の目的を達成する。
（１）居住者の希望する快適な環境を作るために、エネルギー消費も考慮した総合的な最適な機器等の操作や設定を自動的に計算して居住者に伝える。
（２）居住者の要求に従って、自動的に各種機器を連携動作させて、最適な環境を形成する。
【課題を解決するための手段】
【０００５】
以下の構成はそれぞれ上記の課題を解決するための手段である。
【０００６】
＜構成１＞
建物各部の環境に影響を及ぼす環境データを取得するための検出装置を接続し、取得した環境データを記憶装置に記憶して、この記憶装置に記憶された環境データの中から、上記建物の内外の環境を表すいずれかの環境データを選択して、環境モニタ画面を用いて表示する制御を実行する環境監視装置と、
建物各部に配置された機器の動作を制御し、その現在の制御状態を示す状態情報を記憶装置に記憶させて、機器制御画面にその機器の状態情報を表示する機器制御装置と、
上記各機器の状態情報を上記記憶装置から読み取って、いずれかの機器により蓄積されたエネルギといずれかの機器により消費されたエネルギを表す情報を生成して上記記憶装置に記憶させるとともに、そのエネルギを表す情報をエネルギモニタ画面を用いて表示するエネルギ監視装置と、
上記環境監視装置と機器制御装置とエネルギ監視装置とセンター制御装置とを備え、
上記センター制御装置は、
建物の居室に対して予め設定された環境を示す指定値を記憶装置に記憶させておき、上記建物の居室の環境データと機器の状態情報とを上記記憶装置から読み取って、上記建物の居室の現在の環境データが上記指定値を中心にして一定範囲外にあるとき、上記居室の環境データを上記指定値に近づけるために調整するべき機器の状態情報を選択し、その結果を示すメッセージを出力することを特徴とする建物内部の環境管理システム。
【０００７】
＜構成２＞
上記センター制御装置は、
上記居室の環境データを上記指定値に近づけるために調整するべき複数の機器の状態情報について、複数通りの組み合わせがあれば、そのうちのエネルギ消費量が最小に近い組をディスプレイに表示することを特徴とする建物内部の環境管理システム。
【０００８】
＜構成３＞
上記センター制御装置は、
いずれかの建物の居室の現在の環境データが上記指定値を中心にして一定範囲内にあるときであっても、上記居室の環境データを上記一定範囲内に保持するために設定するべき機器の状態情報を選択して、その状態情報が現在の機器の状態情報と一致しないときであって、選択した状態がエネルギ消費量のより小さい状態のときは、選択した結果を示すメッセージを出力することを特徴とする構成１または２に記載の建物内部の環境管理システム。
【０００９】
＜構成４＞
上記機器に発音装置が取り付けられており上記指定値に近づけるために調整するべき機器の発音装置から上記メッセージが出力されることを特徴とする構成１乃至３のいずれかに記載の建物内部の環境管理システム。
【００１０】
＜構成５＞
特定の居住者により特定の居室の環境について指定値が指定されているとき、上記記憶装置には、居住者毎の指定値が記憶されており、
上記センター制御装置は、操作する居住者を入力情報により識別して、該当する指定値を使用して上記メッセージを選択することを特徴とする構成１乃至４のいずれかに記載の建物内部の環境管理システム。
【００１１】
＜構成６＞
上記機器制御装置は、
自動制御要求が入力されたとき、選択をした結果に従って、該当する機器を自動的に該当する状態に調整することを特徴とする構成１乃至５のいずれかに記載の建物内部の環境管理システム。
【００１２】
＜構成７＞
コンピュータを、構成１乃至６のいずれかに記載の建物内部の環境管理システムとして機能させるコンピュータプログラム。
【００１３】
＜構成８＞
構成７に記載のコンピュータプログラムを記録したコンピュータで読み取り可能な記録媒体。
【発明の効果】
【００１４】
＜構成１の効果＞
あらかじめ、居住者が居室についてその季節に合った温度、湿度、明るさ等の希望を指定値として記憶させておくとよい。センター制御装置は、その居室の環境に影響を及ぼす機器について、適切な状態情報の調整方法を選択して、居住者にその操作を促すことができる。
＜構成２の効果＞
室温の調整には、エアコンを操作したり、窓を開いたり、ブラインドを締めたりと、様々な方法がある。複数の機器を組み合わせて調整する場合に、居住者は最適な機器の操作を知ることができる。
＜構成３の効果＞
現在よりもエネルギ消費量が小さい別の設定方法があればそれを表示して、居住者に最適な操作を促すことができる。
＜構成４の効果＞
調整されるべき機器が複数あるときなどは、それらの機器から、その調整前や調整中に最適な環境設定方法を示すメッセージが出力されると、居住者は間違いなく必要な機器全てを調整できる。
＜構成５の効果＞
居住者毎に居室毎に指定値を設定することができる。
＜構成６の効果＞
複数の機器を計算通りに調整する作業は煩雑になるから、コンピュータにより自動的に調整させる手段も設けた。
【図面の簡単な説明】
【００１５】
【図１】実施例１のシステムを実現する建物の構成説明図である。
【図２】図１に示したシステムの主要部機能ブロック図である。
【図３】環境監視装置２２の機能を説明するブロック図である。
【図４】機器制御装置２８とエネルギ監視装置２４の機能を説明するブロック図である。
【図５】環境モニタ画面３６の例を示す図である。
【図６】機器制御画面４２の例を示す図である。
【図７】エネルギモニタ画面４８の例を示す図である。
【図８】ディスプレイに表示される画面の構成説明図である。
【図９】センター制御装置の具体的な動作を説明する説明図である。
【図１０】環境監視装置の動作を示すフローチャートである。
【図１１】機器制御装置２８の動作フローチャートである。
【図１２】エネルギ監視装置２４の動作フローチャートである。
【図１３】センター制御装置の動作フローチャートである。
【図１４】センター制御装置による複数の組み合わせ出力の処理フローチャートである。
【発明を実施するための形態】
【００１６】
以下、本発明の実施の形態を実施例毎に詳細に説明する。
【実施例１】
【００１７】
図１は実施例１のシステムを実現する建物の構成説明図である。
図のような設備を備えた建物１２について、実施例１の環境管理システム１０が実現する。この建物１２には、消費エネルギを居住者に伝えて管理するために、よく知られたスマートメータ６０が設けられている。また、建物１２の各部に設けた様々な装置を集中的に管理し制御するためにコンピュータ６２が設置されている。
【００１８】
この実施例では、全ての装置は無線ルータ６４と無線ＬＡＮ（ローカルエリアネットワーク）によりネットワーク接続されている。建物１２の居室１４の各所には、温湿度センサ７０が配置されている。温湿度センサ７０に明るさを検出するセンサを内蔵したものもあってよい。この温湿度センサ７０等を、以下の実施例では検出装置３２と呼ぶ。
【００１９】
建物１２の屋根には、太陽電池パネル６６が設けられている。太陽電池パネル６６の発電した電力は、蓄電池６８に蓄積される。また、建物１２の各居室１４に設けられた多数の照明７１や、窓７２やシャッタ７４やブラインド７６等は自動的にオンオフしたり開閉したりする機能を持つ。これらはタブレット７８やスマートホン８０により遠隔制御できるように構成されている。これらを以下の実施例では機器２６と総称する。
【００２０】
図２は図１に示したシステムの主要部機能ブロック図である。
図の環境監視装置２２と機器制御装置２８とエネルギ監視装置２４とセンター制御装置１６とは、コンピュータ６２（図１）の演算処理装置により実現する。また、記憶装置３４はコンピュータ６２やタブレット７８（図１）等に内蔵されたものである。ディスプレイ１８は、コンピュータ６２やタブレット７８やスマートホン８０（図１）の表示画面である。
【００２１】
このシステムは、センター制御装置１６により管理され制御される。その演算処理の結果を出力するために、ディスプレイ１８が設けられている。ディスプレイ１８はセンター制御装置１６の出力する画面やメッセージを表示するとともに、タッチセンサ等により各種の命令入力操作を受け付ける機能を持つ。
【００２２】
上記のセンター制御装置１６と環境監視装置２２とエネルギ監視装置２４と機器制御装置２８の取り扱うデータを記憶するために記憶装置３４が設けられている。記憶装置３４には、環境データ３０、状態情報３８、指定値４６、判定テーブル５４及びアプリケーション５６等が記憶されている。さらに、演算処理の結果をディスプレイ１８に表示するための制御画面２０や環境モニタ画面３６や機器制御画面４２やエネルギモニタ画面４８が設けられている。これらの具体例を以下の図を用いて説明する。
【００２３】
図３は環境監視装置２２の機能を説明するブロック図である。
図に示した検出装置３２は、建物各部の環境に影響を及ぼす情報を取得するための装置である。例えば、建物の各居室の温度、湿度、光量、風量、音、振動等を検出するセンサにより構成される。人感センサを内蔵していてもよい。環境監視装置２２は、これらの検出装置３２から取得した環境データ３０を記憶装置３４に記憶させる処理を実行する。
【００２４】
建物各部の環境には、建物内部の居室だけでなく、建物の外部環境も含む。天気予報の放送信号等から建物の属する地域の環境データも取得することができる。現在の環境データだけでなく過去の環境データも蓄積しておくことが好ましい。
【００２５】
環境監視装置２２は、記憶装置３４に記憶された環境データ３０の中から、上記建物の内外の環境を表すいずれかの環境データ３０を選択して、環境モニタ画面３６を用いて表示する制御を実行する。居住者の利用に供するためである。どのような環境データ３０を選択するかは、予め決めておく。
【００２６】
環境モニタ画面３６は、居室１４の温度や湿度を表示するために使用される。さらに、例えば、机やテーブルの上の明るさや騒音レベル等を併せて表示してもよい。環境データの一部だけを表示しても、全てを表示しても構わない。また、その他の情報を併せて表示しても構わない。
【００２７】
図４は、機器制御装置２８とエネルギ監視装置２４の機能を説明するブロック図である。
建物の各部に配置された機器２６は、機器制御装置２８により制御される。各機器２６の制御状態を示す状態情報３８が記憶装置３４に記憶される。機器制御画面４２は、機器２６の状態を表示し、機器制御装置２８に対してその状態の変更を求めるための操作画面を含んでいる。例えば、機器２６が空調機であれば、そのオンオフ状態や、風量、風向、指定温度、指定湿度等を示すデータが状態情報３８である。
【００２８】
記憶装置３４は、機器２６の内部に設けられていてもよいし、コンピュータ６２（図１）に設けられていても構わない。機器２６としては、給湯器、空調機、照明器具のほかに、窓の開閉装置、換気扇、ドアの開閉装置、採光用シャッタの開閉装置等がある。図１で例示したとおりである。機器制御画面４２は、コンピュータ６２やタブレット７８やスマートホン８０（図１）に表示される。
【００２９】
エネルギ監視装置２４は、エネルギを生成する太陽電池パネル６６（図１）やエネルギを蓄積する蓄電池６８（図１）等の状態情報３８を記憶装置３４から読み取って、蓄積されたエネルギと消費されたエネルギを計算する。そして、その結果を表す情報を、エネルギモニタ画面４８を用いて表示する機能を持つ。図３〜図５を用いて、各制御画面を例示する。
【００３０】
図５は環境モニタ画面３６の例を示す図である。
この画面には、間取り図８４が表示され、その各部において、検出装置３２（図１）を用いて取得された環境データ３０が文字枠内に表示されている。また、後で説明する演算処理によって、居住者に注意を促すメッセージ５８等が表示されている。
【００３１】
そして、例えば、温湿度センサ７０（図１）が取得した居室内の温度と外気温とを比較して、外気温に適した空調機の設定を居住者に促すメッセージを、この環境モニタ画面３６を用いて出力する。
【００３２】
図６は機器制御画面４２の例を示す図である。
この図の例は、建物１２の各部に設けられた全ての照明７１（図１）を制御するための画面である。間取り図８４中に丸印で表示した制御ボタン４４は、該当する照明７１が点灯しているときは例えばオレンジ色に表示され、消灯しているときは例えば青色に表示される。従って、機器制御画面４２を見れば、建物１２中の全ての照明７１の状態を同時に確認できる。
【００３３】
そして、例えば、人感センサを内蔵した温湿度センサ７０（図１）がある居室に人がいないことを検出すると、図のように、「無駄な照明を消してください」といったメッセージが出力される。メッセージは文字で出力されても音声で出力されても構わない。
【００３４】
図７はエネルギモニタ画面４８の例を示す図である。
例えば、太陽光発電設備により蓄積されたエネルギ５０と売っている電力と買っている電力を比較しながら蓄積されたエネルギ５０を表示する。また、建物内部の機器の状態情報３８を記憶装置３４から読み取ってその消費電力を計算して、消費されたエネルギ５２を表示する。さらに、同様にして電池モニタ５１や湯量モニタ５３を表示する。ここでも、買っている電力が売っている電力より大きい場合には、機器の点検や機器のオンオフ操作を居住者に促すメッセージを出力する。
【００３５】
図８はディスプレイに表示される画面の構成説明図である。
図の例では、ディスプレイ１８の画面の周辺部分に多数のアイコンが表示されている。
例えば、これらのアイコンのうちのいずれかを操作すると、すでに説明したエネルギモニタ画面４８や環境モニタ画面３６が表示される。また、例えば、全ての機器は、それぞれ別々のアイコンにより機器制御画面４２が立ち上げられるとよい。
【００３６】
例えば、全ての機器２６はそれぞれ固有のアプリケーション５６を備え、固有の機器制御画面４２を表示するように構成しておく。例えば、照明装置のシンボルを表したアイコンをクリックすると、照明装置を制御する機器制御画面４２（図６）がディスプレイ１８に表示される。
【００３７】
図２において、機器２６のアプリケーション５６は、機器制御装置２８を通じて例えば、短い周期でその機器２６の状態情報３８を現在時刻を示す情報とともに記憶装置３４に書き込む処理を繰り返す。センター制御装置１６は各種の演算処理を実行するときに、機器２６の状態情報３８を記憶装置３４から読み取る。ある機器２６のアプリケーション５６が機能しているときは、その機器の最新の現在の状態情報３８を記憶装置３４から読み取ることができる。
【００３８】
一方、機器２６が機能していなければ現在の状態情報３８が無いから、この機器は無いものとして、様々な処理を進めればよい。従って、センター制御装置１６は個々の機器２６の有無に直接影響を受けず、現在の状態情報３８を取得できる機器２６だけを連携制御すればよい。即ち、この実施例のシステムは、機器２６を自由に増設したり廃止することができるという効果がある。
【実施例２】
【００３９】
図９は、センター制御装置の具体的な動作を説明する説明図である。
まず、あらかじめ、居住者が各居室について、快適と思われる温度、湿度、明るさ等の希望を指定値４６として記憶装置３４に記憶させておくものとする。指定値４６とは、予め設定された環境を示す値のことで、例えば、冬期の居室温度は摂氏２３度、湿度は４０％、騒音は３５デシベル以下といった値である。そして、各居室について、例えば、温度はプラスマイナス２度、湿度はプラスマイナス５％、といった許容範囲を定めておく。
【００４０】
センター制御装置１６は、記憶装置３４から建物の居室の環境データ３０と機器２６の状態情報３８とを読み取る。図の例では、サンルームの温度センサ３２−１とリビングの温度センサ３２−２の出力する環境データ３０−１，３０−２を読み取る。そして、その環境データ３０−１，３０−２が、上記指定値４６を中心にして一定範囲外、即ち、許容範囲外にあるとき次の処理を実行する。
【００４１】
即ち、上記居室の環境データ３０−１，３０−２を上記指定値４６に近づけるために調整するべき機器２６を選択し、さらにその状態情報３８を選択し、その結果を示すメッセージ５８を出力する。実際には、サンルームの温度センサ３２−１の出力する環境データ３０−１とリビングの温度センサ３２−２の出力する環境データ３０−２をと、リビングの窓７２の状態情報３８−１と扉７３の状態情報３８−２とを、判定テーブル５４に入力している。
【００４２】
判定テーブル５４は、例えば、室温が摂氏２３度に指定されているとき、リビングの室温が摂氏１９度でサンルームの室温が２４度というデータを入力したとき、リビングとサンルームの間の扉と窓を全開にするというメッセージ５８と、実際にその扉と窓を自動的に開くコマンドとを出力するように構成するとよい。
【００４３】
メッセージ５８とともに、リビングの部分の間取り図８４と、該当する扉と窓の位置を示す説明図８６を表示すれば、居住者はただちに出力されたメッセージに従うことができる。また、居住者が自動処理要求ボタン５９をクリックすると、センター制御装置１６が機器制御装置２８（図２）に対して扉と窓を自動的に開くコマンドとを出力して、自動的に最適な調整が実行される。
【００４４】
なお、この場合に、窓等を開けずに空調機だけで適温にすることも可能である。例えば、判定テーブル５４からは、ブラインドを開けて外光を取り入れ、エアコンの設定を摂氏２２度にするという出力も同時に得られる。このとき、複数通りの組み合わせがあれば、そのうちエネルギ消費量が最小に近い組を選択する。そして、その結果をディスプレイに表示するとよい。
【００４５】
なお、居室の環境データが指定値４６と比較したときに、許容範囲内であっても、環境データ３０を上記一定範囲内に保持するために設定する機器２６の状態情報３８を、判定テーブル５４を使用して選択してみる。選択した状態がエネルギ消費量のより小さい状態のときは、選択した結果を示すメッセージ５８を出力するとよい。複数通りの方法があれば、全てを表示しても、ベストのものだけを表示しても構わない。
【００４６】
以上のように、センター制御装置１６は、その居室１４の環境に影響を及ぼす機器２６について、適切な状態情報３８を選択して、居住者にその操作を促すことができる。また、居住者は、常にコンピュータ６２やタブレット７８（図１）の近くにいるとは限らない。従って、例えば、上記機器２６に発音装置が取り付けられており、例えば、窓７２や扉７３を開くべきときには、これらに取り付けられた発音装置から上記メッセージが出力されるとよい。これにより、居住者はただちに窓７２や扉７３を開く行動に移ることができる。
【００４７】
また、特定の居住者により特定の居室１４の環境について指定値４６が指定されているとき、上記記憶装置３４には、居住者毎の居室毎の指定値４６が記憶されているとよい。センター制御装置１６は、操作する居住者を識別して、該当する指定値４６を使用して上記メッセージ５８を選択するとよい。扉や窓が全て自動制御できるものとは限らない。従って、居住者は自動処理できない機器をメッセージに従って調整するという態様も可能である。
【実施例３】
【００４８】
図１０は環境監視装置の動作を示すフローチャートである。
以下、コンピュータプログラムの実施例を説明する。環境監視装置２２は、ステップＳ１１で、建物に設置された全ての検出装置３２をリスト表示した検出装置リストを参照する。ステップＳ１２では、一つの検出装置３２を選択する。ステップＳ１３では、検出装置３２が検出した気温や湿度等の出力を読み取る。ステップＳ１４では、その読み取り時刻を取得する。ステップＳ１５では、検出装置３２の識別情報を取得する。
【００４９】
予めどの検出装置がどの場所に設置されているかを識別情報に対応させて記憶しておくとよい。こうして、ステップＳ１６で、検出装置３２の設置場所の判定をする。これで必要なデータが揃ったので、ステップＳ１７で環境データ３０を生成する。環境監視装置２２は、ステップＳ１８で、記憶装置３４に環境データ３０を書き込む。
【００５０】
ステップＳ１９で表示要求があれば、ステップＳ２０で、環境モニタ画面３６の表示をする。その後及びステップＳ１９で表示要求が無い場合には最初のステップＳ１１に戻る。そして、検出装置リストを参照しながら全ての検出装置３２について同様の処理を連続的に繰り返す。これにより、常に記憶装置３４に建物各部の最新の環境データ３０が記憶された状態になる。
【００５１】
図１１は機器制御装置２８の動作フローチャートである。
機器制御装置２８は、ステップＳ２１では、建物に設置されている全ての機器をリストアップした機器リストを参照する。ステップＳ２２では、リスト中の一つの機器を選択する。ステップＳ２３では、その機器の状態情報３８を読み取る。ステップＳ２４では、その状態情報３８を記憶装置３４に記憶する。
【００５２】
テップＳ２５で、その表示要求があったときには、ステップＳ２６で、機器制御画面４２の表示をする。表示要求がなければステップＳ２１に戻り、全ての機器について、状態情報の取得を繰り返す。機器制御画面４２の表示をした後に、ステップＳ２７で状態の変更要求があったときには、ステップＳ２８に進む。変更要求がなければ、ステップＳ２１に戻る。
【００５３】
機器制御画面４２が操作されて、例えば、一部の照明を点灯するといった要求が入力したときには、ステップＳ２８で、機器制御装置２８は、その制御情報を機器２６に送信する。ステップＳ２９では、制御が終了した後に、その機器２６の状態情報３８の読み取りをする。ステップＳ３０では、記憶装置３４に記憶していた機器２６の状態情報３８を更新する。そして、更新後の状態についてステップＳ３１で機器制御画面４２の更新をする。
【００５４】
図１２はエネルギ監視装置２４の動作フローチャートである。
エネルギ監視装置２４はステップＳ４１で表示要求があるまで待機する。表示要求があると、ステップＳ４２で、エネルギ計算に必要な機器の選択をする。次に、ステップＳ４３で記憶装置３４からそれらの機器の状態情報３８を全て読み取る。ステップＳ４４で、読み取った情報を使用して蓄積エネルギの計算をする。続いてステップＳ４５で、消費エネルギの計算をする。その後、ステップＳ４６で、エネルギモニタ画面４８の表示をする。
【００５５】
図１３はセンター制御装置の動作フローチャートである。
始めに、対象となる居室を特定する。即ち、ステップＳ５１で居室を選択する。そして、その居室について、居住者毎に指定値が設けられていれば、その居住者を識別し、ステップＳ５２で、該当する居室の指定値を読み取る。その後、ステップＳ５３で、記憶装置３４からその居室の環境に影響がある場所の環境データ３０を読み取る。ステップＳ５４では、その居室の環境に影響がある機器の状態情報３８を読み取る。
【００５６】
ステップＳ５５では、読み取ったデータをその居室の環境を決める判定テーブル５４に入力する。ステップＳ５６では、判定テーブル５４から出力されたメッセージを取得する。ステップＳ５７では、メッセージディスプレイ１８に表示する。ステップＳ５８で、居住者から自動制御の要求があるかどうかという判断をする。この判断の結果がイエスのときはステップＳ５９の処理に移行し、ノーのときは処理を終了する。ステップＳ５９では、判定テーブル５４から出力された制御コマンドを取得する。そして、ステップＳ６０で制御コマンドを機器制御装置２８を通じて機器２６に送信する。
【００５７】
図１４はセンター制御装置による複数の組み合わせ出力の処理フローチャートである。
居室の環境を最適化する操作が、図１３のステップＳ５６で、二種類（二組）以上出力された場合には、このフローチャートのように動作する。まず、ステップＳ６１で、判定テーブルの出力を全て取得する。そして、ステップＳ６２で、各組について、エネルギの収支計算をする。即ち、生成されるエネルギと消費されるエネルギの差分を求める。ステップＳ６３では、全ての組の計算結果を比較して、これらを省エネルギ順に配列をする。
【００５８】
ステップＳ６４では、最上位のものと現在の状態とを比較する。そして、ステップＳ６５で、そのときの機器の状態情報３８が一致しているかどうかを判断する。この判断の結果がイエスのときは処理を終了する。ノーのときはステップＳ６６の処理に移行する。ステップＳ６６では、図８に示したような画面を使用して居住者に変更をすすめるメッセージを出力する。
【００５９】
ステップＳ６７では、居住者が自動制御を要求しているかどうかという判断をする。さらに、居住者に、何組かの制御方法のいずれかを選択させる。ステップＳ６８で制御方法が選択されると、ステップＳ６９で制御コマンドを取得する。そして、ステップＳ７０で制御コマンドを機器制御装置２８を通じて機器２６に送信する。
【００６０】
なお、上記の演算処理で実行されるコンピュータプログラムは、機能ブロックで図示した単位でモジュール化されてもよいし、複数の機能ブロックを組み合わせて一体化されてもよい。また、上記のコンピュータプログラムは、例えばＣＤ−ＲＯＭのようなコンピュータで読み取り可能な記録媒体に記録して、任意の情報処理装置にインストールして利用することができる。
【符号の説明】
【００６１】
１０  環境管理システム
１２  建物
１４  居室
１６  センター制御装置
１８  ディスプレイ
２０  制御画面
２２  環境監視装置
２４  エネルギ監視装置
２６  機器
２８  機器制御装置
３０  環境データ
３２  検出装置
３４  記憶装置
３６  環境モニタ画面
３８  状態情報
４２  機器制御画面
４４  制御ボタン
４６  指定値
４８  エネルギモニタ画面
５０  蓄積されたエネルギ
５１  電池モニタ
５２  消費されたエネルギ
５３  湯量モニタ
５４  判定テーブル
５６  アプリケーション
５８  メッセージ
５９  自動処理要求ボタン
６０  スマートメータ
６２  コンピュータ
６４  無線ルータ
６６  太陽電池パネル
６８  蓄電池
７０  温湿度センサ
７１  照明
７２  窓
７３  扉
７４  シャッタ
７６  ブラインド
７８  タブレット
８０  スマートホン
８４  間取り図
８６  説明図
【図１】
2015102321.tif 000003
【図２】
2015102321.tif 000004
【図３】
2015102321.tif 000005
【図４】
2015102321.tif 000006
【図５】
2015102321.tif 000007
【図６】
2015102321.tif 000008
【図７】
2015102321.tif 000009
【図８】
2015102321.tif 000010
【図９】
2015102321.tif 000011
【図１０】
2015102321.tif 000012
【図１１】
2015102321.tif 000013
【図１２】
2015102321.tif 000014
【図１３】
2015102321.tif 000015
【図１４】
2015102321.tif 000016